(57)【要約】  システム情報（ＳＩ）をＵＥへシグナリングするための、ネットワークノード及びＵＥ並びにそれらにおける方法。ネットワークノードにおける方法は、複数の選択肢セットを含むＳＩを１つ以上のＵＥへと送信することと、各セットは、１つ又は複数の無線システムパラメータへ異なる値を割り当てることと、を含む。当該方法は、複数の選択肢セットのうちのいずれのセットがその時点でＵＥに適用されるべきかを判定することと、判定されたセットを示すＳＩ選択信号をＵＥへ送信することと、それにより、好ましくない無線状態においても、ＵＥがその時点で適切な無線システムパラメータを適用することが可能とされることと、をさらに含む。ＵＥは、マシンタイプ通信デバイス（ＭＴＣ）であり得る。【選択図】図２
2016522605.tif 000002
【特許請求の範囲】
【請求項１】
無線通信システム内のネットワークノードにより実行される、システム情報を更新するための方法であって、
複数の選択肢セットを含むシステム情報（ＳＩ）を１つ以上のユーザ機器（ＵＥ）へと送信することと、各セットは、１つ又は複数の無線システムパラメータへ異なる値を割り当てることと、
前記複数の選択肢セットのうちのいずれのセットがその時点でＵＥに適用されるべきかを判定することと、
判定された前記セットを示すＳＩ選択信号を前記ＵＥへ送信することと、
それにより、前記ＵＥがその時点で適切な無線システムパラメータを適用することが可能とされることと、
を含む方法。
【請求項２】
前記１つ又は複数の無線システムパラメータは、セルアクセスに関連する、請求項１に記載の方法。
【請求項３】
前記１つ又は複数の無線システムパラメータは、セル規制に関連する、請求項１又は２に記載の方法。
【請求項４】
前記ＳＩ選択信号は、同期信号である、請求項１〜３のいずれかに記載の方法。
【請求項５】
前記ＵＥは、マシンタイプ通信（ＭＴＣ）デバイスである、請求項１〜４のいずれかに記載の方法。
【請求項６】
無線通信システム内のユーザ機器（ＵＥ）により実行される、システム情報を更新するための方法であって、
複数の選択肢セットを含むシステム情報（ＳＩ）をネットワークノードから受信することと、各セットは、１つ又は複数の無線システムパラメータへ異なる値を割り当てることと、
前記選択肢セットのうちの１つを示すＳＩ選択信号を前記ネットワークノードから受信することと、
前記ＳＩ選択信号により示される前記セットを適用することと、
それにより、システム情報のすばやい更新が可能とされることと、
を含む方法。
【請求項７】
前記１つ又は複数の無線システムパラメータは、セルアクセスに関連する、請求項６に記載の方法。
【請求項８】
前記１つ又は複数の無線システムパラメータは、セル規制に関連する、請求項６又は７に記載の方法。
【請求項９】
前記ＳＩ選択信号は、同期信号である、請求項６〜８のいずれかに記載の方法。
【請求項１０】
前記ＵＥは、マシンタイプ通信（ＭＴＣ）デバイスである、請求項６〜９のいずれかのいずれかに記載の方法。
【請求項１１】
無線通信システムにおいて動作可能な、システム情報を更新するためのネットワークノードであって、
１つ又は複数の無線システムパラメータへ異なる値を各々が割り当てる複数の選択肢セットを含むシステム情報（ＳＩ）を、１つ以上のユーザ機器（ＵＥ）へと送信するように適合される送信ユニット（５０３）と、
前記複数の選択肢セットのうちのいずれのセットがその時点でＵＥに適用されるべきかを判定するように適合される制御ユニット（５０４）と、
を含み、
判定された前記セットを示すＳＩ選択信号を、前記ＵＥへと送信するようにさらに適合される、
ネットワークノード。
【請求項１２】
前記１つ又は複数の無線システムパラメータは、セルアクセスに関連する、請求項１１に記載のネットワークノード。
【請求項１３】
前記１つ又は複数の無線システムパラメータは、セル規制に関連する、請求項１１又は１２に記載のネットワークノード。
【請求項１４】
前記ＳＩ選択信号は、同期信号である、請求項１１〜１３のいずれかに記載のネットワークノード。
【請求項１５】
無線通信システムにおいて動作可能な、システム情報を更新するためのユーザ機器（ＵＥ）であって、
１つ又は複数の無線システムパラメータへ異なる値を各々が割り当てる複数の選択肢セットを含むシステム情報（ＳＩ）を、ネットワークノードから受信するように適合され、及び、前記選択肢セットのうちの１つを示すＳＩ選択信号を、前記ネットワークノードから受信するようにさらに適合される受信ユニット（６０３）と、
前記ＳＩ選択信号により示される前記セットを適用するように適合される適用ユニット（６０５）と、
を含むユーザ機器（ＵＥ）。
【請求項１６】
前記１つ又は複数の無線システムパラメータは、セルアクセスに関連する、請求項１５に記載のユーザ機器（ＵＥ）。
【請求項１７】
前記１つ又は複数の無線システムパラメータは、セル規制に関連する、請求項１５又は１６に記載のユーザ機器（ＵＥ）。
【請求項１８】
前記ＳＩ選択信号は、同期信号である、請求項１５〜１７のいずれかに記載のユーザ機器（ＵＥ）。
【発明の詳細な説明】
【技術分野】
【０００１】
本発明は、一般に、無線通信システムにおけるシステム情報に関し、具体的には、ＭＴＣデバイスなどのユーザ機器（ＵＥ）へのシステム情報のシグナリングに関する。
【背景技術】
【０００２】
マシンタイプ通信（ＭＴＣ又はＭ２Ｍ）は、急速に広がっており、移動体通信事業者にとって多大な収益を生み出す可能性を有している。ＭＴＣデバイスは、音声加入者よりも少なくとも２桁数多くなることが予測されている。これよりもはるかに多くなるとの予測もある。ＭＴＣは、マシン同士が直接通信することを可能にする。Ｍ２Ｍ通信は、我々の周りの世界及び人々がマシンと対話する方法を根本的に変容させる可能性を有している。
【０００３】
技術が進歩するにつれ、ケイパビリティ及びコストに重大な変化がある。演算能力、メモリ、及び通信ケイパビリティの増大により、以前は人が行っていたいくつかの作業をマシンが実行できるようになる。人の労力の代わりにマシンを使用することは、しばしば、低コストと関連付けられる。増大するケイパビリティと低コストとが相まって、以前は経済的な理由で提供されなかった、収益を生み出すサービスについての新たな機会を生み出し得る。
【０００４】
ＭＴＣデバイスは、多種多様の特徴を提供し得る。ホームオートメーションの分野では、ＭＴＣデバイスは、温度や湿度や扉又は窓の開／閉／ロックの感知、電力量計、水量計などのセンサーケイパビリティ、並びに、ヒーター／クーラーの電源投入や、照明又はポンプのオン／オフの切り替えや、家庭及び作業場のオートメーションに関連する類似の用途などのための種々のアクチュエータ、を提供し得る。マシンツーマシン通信を使用することのできる別の分野として、家庭及び職場に関連するセキュリティ及び監視がある。モーションセンサー、煙探知機、カメラなど、様々なセンサーが局所又は中央セキュリティシステムに接続され、それらのシステムは、サイレン、スプリンクラー、スピーカーなどのアクチュエータへ接続される。他にも自動車の分野があり、車両は幅広い種類のセンサー及びアクチュエータを含み得る。他にも輸送及び物流の分野があり、物流センター及び輸送用車両はいずれも、特定の料金ゲートにおける追跡又は文書の作成のためのセンサー及びアクチュエータを含み得る。資材及び商品は、例えば、温度又は機械的衝撃など、特定の品質要件が満足されていることを監視又は制御する、センサー及び／又はアクチュエータを含み得る。
【発明の概要】
【発明が解決しようとする課題】
【０００５】
将来の“ネットワーク化された社会”のシナリオでは、前述したように、無線ネットワーク内に非常に数多くのＭＴＣデバイスが存在することが予測される。ＭＴＣデバイスの多くは、比較的少量のアップリンクデータをごくたまに、例えば１００ビットを１時間に１回、送信する。ＬＴＥには、今日において通信が不可能なエリアにおいてＭＴＣ通信を可能にするという目標で、いわゆる“拡張（enhanced）ＭＴＣカバレッジ”のための新たな解決策を導入する計画がある。その目標は、ＬＴＥのリンクバジェットが、レガシーＬＴＥ標準［３ＧＰＰ  Ｔｄｏｃ  ＲＰ−１２１４４１］によりサポートされるものと比べて約２０ｄＢ増加されるように策定されている。拡張ＭＴＣカバレッジのためのこうした解決策は、ＭＴＣタイプの解決策にとってＬＴＥをより一層魅力的なものにすると予測される。というのも、それは、無線状態が非常に悪いＭＴＣデバイスであってもＬＴＥネットワークにおいて通信することができるようにされることを暗に示しているからである。すなわち、例えば無線状態が悪いために今日のＬＴＥネットワーク（本明細書では“レガシー”ネットワークと呼ぶ）において通信することのできないデバイスが、拡張ＭＴＣカバレッジをサポートするＬＴＥネットワークにおいては通信することができるかもしれない。しかしながら、この改善をいかに達成するか、は未だ不明である。また、こうしたシステムにおいて、ＭＴＣトラフィックと例えばレガシーデータトラフィックとをどのように調和させるべきか、も不明である。
【課題を解決するための手段】
【０００６】
本明細書に記載されている技術は、レガシーＬＴＥシステムと、上述の拡張ＭＴＣカバレッジの実装といった拡張（extended）カバレッジ用のシステムと、の間の帯域内無線リソースの効率的な共用を可能にする。例えば基地局により送信され拡張カバレッジＵＥにより受信される同期信号を変更することにより、拡張カバレッジ用システムのアクセスパラメータを迅速に変更することができる。この方法は、遅延に寛容なトラフィックをサポートするデバイスであってこの方法が呈する追加のオーバヘッド及び複雑性を受け入れられる（prohibitive）デバイスにとって有用である。それは、ネットワークがもはや例えば他の優先順位の高いユーザにより輻輳していない場合に、遅延に寛容なトラフィックを使用するデバイスがその測定値をレポートすることを可能にするための、最適化方法である。
【０００７】
第１の局面に従えば、無線通信システム内で動作可能なネットワークノードにより実行される、システム情報を更新するための方法が提供される。方法は、複数の選択肢セットを含むシステム情報（ＳＩ）を１つ以上のＵＥへと送信することと、各セットは、１つ又は複数の無線システムパラメータへ異なる値を割り当てることと、を含む。方法は、複数の選択肢セットのうちのいずれのセットがその時点でＵＥに適用されるべきかを判定することと、判定されたセットを示すＳＩ選択信号をＵＥへさらに送信することと、それにより、ＵＥがその時点で適切な無線システムパラメータを適用することが可能とされることと、をさらに含む。
【０００８】
第２の局面に従えば、無線通信システム内で動作可能なＵＥにより実行される、システム情報を更新するための方法が提供される。方法は、複数の選択肢セットを含むＳＩをネットワークノードから受信することと、各セットは、１つ又は複数の無線システムパラメータへ異なる値を割り当てることと、を含む。方法は、選択肢セットのうちの１つを示すＳＩ選択信号をネットワークノードから受信すること、をさらに含む。方法は、ＳＩ選択信号により示されるセットを適用することと、それにより、好ましくない無線状態において、システム情報のすばやい更新が可能とされることと、をさらに含む。
【０００９】
第３の局面に従えば、システム情報を更新するためのネットワークノードが提供される。ネットワークノードは、無線通信システムにおいて動作可能であり、１つ又は複数の無線システムパラメータへ異なる値を各々が割り当てる複数の選択肢セットを含むＳＩを、１つ以上のＵＥへと送信するように適合される送信ユニットを含む。ネットワークノードは、複数の選択肢セットのうちのいずれのセットがその時点でＵＥに適用されるべきかを判定するように適合される制御ユニットをさらに含む。ネットワークノードは、判定されたセットを示すＳＩ選択信号を、ＵＥへと送信するようにさらに適合される。
【００１０】
第４の局面に従えば、システム情報を更新するためのＵＥが提供される。ＵＥは、無線通信システムにおいて動作可能であり、１つ又は複数の無線システムパラメータへ異なる値を各々が割り当てる複数の選択肢セットを含むＳＩを、ネットワークノードから受信するように適合される受信ユニットを含む。受信ユニットは、選択肢セットのうちの１つを示すＳＩ選択信号を、ネットワークノードから受信するようにさらに適合される。ＵＥは、ＳＩ選択信号により示されるセットを適用するように適合される適用ユニットをさらに含む。
【図面の簡単な説明】
【００１１】
本明細書に開示されている技術の上記の並びに他の目的、特徴、及び利点は、添付の図面に示される実施形態についての以下のより具体的な説明から明らかになるであろう。図面は必ずしも原寸に比例しておらず、本明細書に開示されている技術の原理を示す際に強調がなされている。
【図１】例示的な一実施形態に従った、無線通信システム内の基地局（ＢＳ）とユーザ機器（ＵＥ）との間のシグナリングを示す図である。
【図２】例示的な一実施形態に従った、例示的なシグナリング方式を示す図である。
【図３ａ】例示的な一実施形態に従った、ＢＳ内での手順を示すフロー図である。
【図３ｂ】例示的な一実施形態に従った、ＢＳ内での手順を示すフロー図である。
【図４】例示的な一実施形態に従った、ＵＥ内での手順を示すフロー図である。
【図５】例示的な一実施形態に従った、ＢＳを示すブロック図である。
【図６】例示的な一実施形態に従った、ＵＥを示すブロック図である。
【図７】例示的な一実施形態に従った、構成を示すブロック図である。
【発明を実施するための形態】
【００１２】
本明細書では、拡張カバレッジ及び拡張カバレッジモードに言及する。ここでは、拡張カバレッジは、ＬＴＥコミュニティにおいて検討されているいわゆる“拡張ＭＴＣカバレッジ”（これについては以下でもさらに説明する）といった拡張機能を意味する。本明細書では、拡張カバレッジは、代替的に“ディープカバレッジ”と呼ばれ得る。拡張カバレッジモードで動作しているデバイスは、本明細書では、例えば“ディープカバレッジＵＥ”又は“ディープカバレッジＭＴＣデバイス”として言及され得る。同様に、拡張カバレッジを利用しているサービスは、本明細書では、例えば“ディープカバレッジサービス”と呼ばれ得る。ＭＴＣデバイスは、ＵＥの一種であると考えられ、ＵＥの一種として言及される。
【００１３】
本明細書に記載されている解決策は、排他的ではないが主に、ＵＥが拡張カバレッジモードで通信する必要がある状況に関連している。拡張カバレッジモードでの通信は、少なくとも拡張カバレッジが繰り返しの使用により達成される場合には、通常の通信モードで同じ量の情報を通信する場合よりも長い時間と多くのリソースを消費すると予測される。こうしたモードでは、例えばシステム情報を受信するのに、長い時間がかかると予測される。非常に良い無線状態では、ＵＥは、拡張カバレッジモードを使用する必要がない。本明細書では、解決策は主に、ＭＴＣデバイスのコンテキストで説明される。これは、数多くのＭＴＣデバイスが無線状態の悪い場所にあることが予測されるため、またそれ故に拡張カバレッジモードで通信することが予測されるため、である。しかしながら、他のＵＥが拡張カバレッジモードで通信することで恩恵を受け得る例が存在する。解決策は、例えば、荒野において長距離の拡張エリアカバレッジを提供し得る。
【００１４】
拡張カバレッジをサポートするシステム内には、拡張カバレッジモードで通信する、例えばＭＴＣデバイスといったデバイスが存在するが、拡張カバレッジをサポートしない、又は当面は拡張カバレッジモードを使用しない、例えばスマートフォンやＭＴＣデバイスといったデバイスも存在し得る。これらの異なるデバイスは好ましくは、ネットワーク内で共存でき、及び利用可能なリソースを共用できなければならない。こうしたシナリオでは、いずれのデバイスがある時間において通信することを許可され、いずれのデバイスがその時間に通信することを許可されないか、を制御することが望まれ得る。これは、例えばそれらのデバイスのシステム情報（ＳＩ）の特定の部分を更新することによって達成され得る。システム情報は、ＵＥが、ネットワークにアクセスすることと、そのネットワーク内で及び特定のセル内で適切に動作することと、を可能にする情報である。システム情報は、典型的に、ネットワークにより繰り返しブロードキャストされる。システム情報は、とりわけ、ダウンリンク及びアップリンクのセル帯域幅、ＴＤＤの場合のアップリンク／ダウンリンク構成、ランダムアクセス送信に関連する詳細なパラメータ、及びアップリンク電力制御、に関する情報を含む。システム情報は、いわゆる“セル規制（cell  barring）情報”をさらに含む。これは、例えば、セルがアクセスされ得るか否かに関する情報である。
【００１５】
セルにおいて一時的な容量問題がある場合、いくつかのデバイスについてのセル規制情報を変更することが望ましいことがある。例えば、繰り返し等により少数のビットを送信するために多数のリソースを使用するデバイスが、セルのリソースを使用することを、一時的に抑制することが望ましいことがある。しかしながら、例えば非常に重要な情報について、又は少数のビットの配信のために高額を支払っている加入者のデバイスについては、その抑制から除外することも望ましいことがある。このため、例えばセル規制情報を変更する際に、選択的である可能性を有することが望ましいことがある。
【００１６】
“拡張ＭＴＣカバレッジ”について検討されている２０ｄＢのカバレッジ拡張は、１００倍高い信号対ノイズ比を達成することに相当する。ＬＴＥにおいて２０ｄＢ程度のカバレッジ拡張を達成するためには、複数の物理チャネル及び物理信号を改善する必要がある。必要な改善が非常に大きいため、及びＬＴＥが既に非常に優秀である、すなわちＬＴＥにはほぼ１００倍に匹敵する改善を提供することのできる既知の欠陥が存在しないため、必要なカバレッジ改善のほとんどを提供するために、繰り返しが使用されるであろう。すなわち、受信される信号が非常に弱いことに起因して、受信器が情報を正しく復号することができるためには、同じ情報を例えば１００回、送信することが必要になり得る。現行のＬＴＥ信号は、影響を及ぼすことなく約１００回繰り返すことは容易にできない。それ故に、この目的のために新たな信号を定義することが必要になり得る。
【００１７】
したがって、ＭＴＣデバイスのための拡張カバレッジに関する３ＧＰＰの取り組みの成果は、既存のレガシーＬＴＥ信号及び物理チャネルに加えて定義される信号及び物理チャネルの新たなセットであり得る。この信号及びチャネルの新たなセットは、好ましくは、現行のＬＴＥキャリアのデータ領域内に定義され得る。このようにすることで、既存のレガシーＵＥは、新たな信号及びチャネルを単に無視するであろう。なぜなら、それらは他の何らかのＵＥへ向けられたデータであるように見えるであろうし、実際のところ、そうだからである。ただし、シグナリングフォーマットは新しいかもしれない。
【００１８】
無線リソースの別個のセット、例えばある周波数帯、をディープカバレッジＭＴＣ端末専用に割り当てることは、非常に高くつく可能性がある。このため、レガシーサービス及びディープカバレッジサービスが同じキャリア上に共存することが可能とされることが望ましい。ディープカバレッジＭＴＣデバイスなどのディープカバレッジＵＥは、デバイス一台につき非常に低い収入を生む間に大量の無線リソースを消費し得る。ピークトラフィックの時間中、それらの無線リソースは、例えば通常のサービス、レガシーサービス、音声サービス、及びモバイルブロードバンドサービスのために使用された方がよく、それらはより多くの収入を生み出す。このため、そのようなときにはディープカバレッジのトラフィックの一部を一時的に規制する、すなわち排除する、ことができることは有益であり得る。しかし、所与の時点でレガシーサービスによって必要とされないリソースは、今日では無駄となっているため、こうしたリソースがレガシーサービスと効率的に共用されることができる限り、それらのリソースをディープカバレッジサービスへ割り当てることにそれほどコストはかからないであろう。
【００１９】
以下では、ディープカバレッジデバイスは、ＭＴＣデバイスとして言及される。上記のような、セル内の一時的な容量問題が解消したら直ちに、一時的に規制されたＭＴＣデバイスに対して、再度システムに戻ることができる旨をすばやく通知することが望ましい。しかしながら、ブロードキャストされるシステム情報（ＳＩ）の内容を変更するには、通常、実行するのにかなりの時間がかかる。３ＧＰＰ  ＴＳ  ３６．３３１  §５．２．１．３に記載されているように、システム情報は、特定の無線フレーム又は変更期間においてのみ更新されることができる。ＳＩの変更期間についての賢明なオプションは、それが少なくとも、そのセル内のデバイス群の最大ＤＲＸサイクルよりも長くなければならない、というものである。ＭＴＣについて数分程度のＤＲＸサイクルが現時点で検討されていることを考慮すると、必要なＳＩ変更期間についての着想を得ることができる。通常の環境下であっても、こうしたプロセスのためには、いくつものページングインターバルが必要である。屋内地下室にある電力計など、拡張カバレッジモードで動作している極めて劣悪なリンク性能を有する低速のデバイスにとって、システム情報の受信も問題である。更新された大量のシステム情報を非常に性能の低い無線リンクを通じて受信するには、時間のかかる信号繰り返しを非常に多く必要とする可能性がある。このため、ＭＴＣデバイスへのシステム情報を変更することは、通常モードで動作しているＵＥと比べて、さらに長い時間がかかることがある。これは、解決策を必要とする問題である。
【００２０】
従来のシステムでは、システム情報を十分に速く変更することができない。セル規制情報は、異なるユーザが異なるセル規制パラメータを有するように情報を区別できなければならない場合に特に、非常に大量になり得る。同時に、トラフィックの変動は、ミリ秒の時間スケールで発生している。このため、システム情報の複数の部分をすばやくかつ選択的に変更する新しい方法が求められる。本明細書では、この問題への解決策を提供する。これについて以下により詳細に説明する。
【００２１】
図１は、解決策の例示的な一実施形態を示す。基地局は、カバレッジ拡張の特徴、例えば大量の繰り返しを必要とするＭＴＣデバイスへ、システム情報を送信する。システム情報は、オプション的な準静的部分と、少なくとも２つの選択肢（alternative）部分（この例では第１の部分及び第２の部分）と、からなる。すなわち、互いに異なる選択肢を含むシステム情報が、ＭＴＣデバイスへ提供される。
【００２２】
なお、基地局は、他のシステム情報を図示されていない他のユーザへも送信し得る。例えば、図示されているＭＴＣシステム情報は、カバレッジ拡張の特徴を必要としていないレガシーＵＥに向けられ及びそれにより受信される“正規の”又は“通常の”システム情報（図示せず）とは完全に区別されるものであり得る。代替的に、システム情報のサブセットは、通常のシステム情報と同一であり得る。しかしながら、この場合においても、ＭＴＣデバイスにとって厳しいカバレッジ状態が理由で、ＭＴＣデバイスのためのシグナリング方式は、レガシー手順とは異なり得る。
【００２３】
オプション的なシステム情報のいずれの部分を適用するかをＭＴＣデバイスが分かるように、基地局は、ＭＴＣデバイスへＳＩ選択信号も送信し得る。ＭＴＣデバイスは、このＳＩ選択信号を使用して、複数の選択肢システム情報（ＳＩ）部分のうちいずれの部分がその時点で適用されるかを選択する。ＭＴＣデバイスは、ＳＩ情報のうちいずれの部分が特定のＳＩ選択信号により示されるかについて、何らかの時点で知らされていたはずである。代替的に、ＭＴＣデバイスは、ＳＩ選択信号の変更を検出すると、複数の選択肢の間で切り替えたり、連続するＳＩ部分へと変更したりすることができる。
【００２４】
１つの実施形態では、このＳＩ選択信号は、ＭＴＣデバイスが時間及び周波数の同期を獲得することができるように、基地局からいずれにせよ送信される同期信号であってよい。このＭＴＣの同期信号は、通常の（非拡張カバレッジモードの）レガシーＵＥへ送信される通常のレガシー同期信号とは別個のものであってよいことに留意されたい。
【００２５】
代替的に、ＳＩ選択信号は、基地局からいずれにせよ送信される復調リファレンス信号など、他の目的のためにも使用される、同期信号以外の何らかの信号であり得る。それはまた、明らかにこの目的のために設計される新たな信号であってもよい。ＳＩ選択信号は、様々な方法でシグナリングされ得る。例えば、それは、カバレッジエリア全体にわたってブロードキャストされる情報ビットとしてシグナリングされてもよいし、単一のユーザ又は特定のユーザのグループへのみ送信されてもよい。ＳＩ選択信号は、１つ以上のビットからなってよく、プロトコルヘッダの一部であり得る、すなわち、例えばいわゆるマスター情報ブロック（ＭＩＢ）の一部として送信され得る。
【００２６】
ＳＩ選択信号を通信するために同期信号を使用する場合、送信される同期シーケンスと、基地局の物理セルＩＤ（ＰＣＩ）との間の関係を考慮する必要がある。通常、ＰＣＩは、同期信号波形に対して１対１のマッピングを有する。ＵＥは、同期信号（ＬＴＥ  Ｒｅｌ−８ではプライマリ同期信号（ＰＳＳ）とセカンダリ同期信号（ＳＳＳ）とからなる）を検知すれば、セルの物理セルＩＤも分かる。ＰＣＩは、シグナリング及び測定プロトコルにおいて、例えばハンドオーバ中に、セルを識別するために使用されるローカルに一意な識別子であるが、それはまた、主にアップリンク及びダウンリンクの復調リファレンス信号など、セル固有の多数の信号を導出するためにも使用される。いずれのシステム情報部分がその時点で適用されるのかを示すために同期信号波形が使用される場合、同期信号の変更をＭＴＣデバイスがどのように解釈すべきかを明確に定義することが重要である。避けられねばならない１つの解釈は、古いセルが消失し及び新しいセルが現れた、とＭＴＣデバイスが考えることである。これは、ＭＴＣデバイスが新たに発見されたＰＣＩに対応するセルを介してネットワークへの接続を試みる不必要なアタッチ手順をトリガしかねない。そうではなく、ＭＴＣデバイスは、新しい同期信号が古いセルと同じセルに対応していることを正しく理解しなければならない。このため、ＭＴＣデバイスは、そのすべてのコンテキスト、例えば、送信及び受信バッファ、無線ベアラ構成、ＣＲＮＴＩ（cell-radio  network  temporary  identifier）など、を基地局内に保持し得る。
【００２７】
これを実現するための１つの方法は、拡張カバレッジを必要とするＭＴＣデバイスのための同期信号からＰＣＩを分離することである。レガシーＵＥ及び拡張カバレッジＭＴＣデバイスのために別々の同期信号が定義される場合、セルがいくつものＰＣＩと関連付けられるリスクを避けることが望ましければ、これは有益であるかもしれない。ＭＴＣデバイスがシグナリング及び測定プロトコルにおいて正しいＰＣＩを使用することができるようにするために、ＰＣＩは、拡張カバレッジデバイスを対象とするシステム情報の一部として明示的にシグナリングされることが可能である。
【００２８】
代替的な方法は、同期信号とＰＣＩとの間で複数対１のマッピングを設計することである。ＭＴＣデバイスは、例えば、同期信号インデックスをＰＣＩに、曖昧さを除去するモジュロ演算を使用してマッピングし得る。ＬＴＥでは、同期信号は、２つの信号、すなわち、ＰＳＳ（プライマリ同期信号）（これは３つの異なる代替的な実現値（alternative  realizations）を有する）及びＳＳＳ（セカンダリ同期信号）（これは１６８個の異なる代替的な実現値を有する）を含み、セルＩＤは、それらのインデックスから導出される。こうしたマルチステージの同期信号を使用することで、１つの信号（例えばＳＳＳ）のみによりセルを判定することができ、ＳＩ選択信号を他方の信号（例えばＰＳＳ）とすることができる。これは、現行のＬＴＥの数値を再使用して、ＳＩの３つの選択肢の中から１つを選択することを可能にする。
【００２９】
マッピングは、例えば、２つ以上の同期信号を１つのＰＣＩへとグループ化するテーブルルックアップに基づいてもよく、テーブルルックアップは例えば仕様において定められることができる。なお、各ＰＣＩに対して同じ数の同期信号をマップすることは必須ではない。同期信号インデックスとＰＣＩとの間のマッピングテーブルは、ＭＴＣデバイスを対象とするシステム情報の一部として明示的にシグナリングされてもよい。現行のＬＴＥ標準と比べて、同期信号の数を増やしてもよいことにも留意されたい。
【００３０】
２つ以上の同期信号／シーケンスの存在は、ＭＴＣデバイスでハードコードされるかもしれない。そうすれば、上の段落で示したような、不必要なアタッチ手順につながる“消失したセル”による誤ったトリガのリスクが排除される。
【００３１】
図２は、本明細書で提案されている技術の別の例を示す。基地局“ＢＳ”は、拡張カバレッジセル内の多くの又は全てのＭＴＣデバイスへ、システム情報を送信する。ある瞬間に、セル内で低い負荷が検出されると、ＭＴＣデバイスのいくつか又は全てについてシステムへのアクセスを制限する必要はない。したがって、一例として、“ＳＩ選択信号１”が送信される。ＭＴＣデバイスは、この信号を検出して、例えばマッピングテーブルを調べることにより、対応する“第１の選択肢システム情報部分”が適用されることを理解する。この第１のシステム情報部分が有効である又は適用されている間に、ＭＴＣデバイスは、図２に破線で示されている、１つ以上の送信を開始し得る。その後のある瞬間に、基地局は、セル内で高い負荷を検出し、ＭＴＣデバイスのうちいくつかについてネットワークへのアクセスを制限又は抑制したいと願う。そこで、“ＳＩ選択信号２”を送出する。ＭＴＣデバイスは、この信号を検出して、今度は、対応する“第２の選択肢システム情報部分”が代わりに適用されなければならないことを理解する。この例では、第２の選択肢システム情報部分が有効である又は適用されるとき、ＭＴＣデバイスは、いかなる送信も開始することを許可されない。また、ＭＴＣデバイスは、この信号が古い信号と同じネットワークノードから送信されていること、及び、それ（当該ＭＴＣデバイス）がそのすべてのコンテキストをネットワークノード内に保持していること、も理解する。
【００３２】
異なる選択肢システム情報部分、例えば図１に示されているような第１の部分及び第２の部分は、ＭＴＣデバイスがそのレポートを送出するレートも制御し得る。例えば第１の選択肢システム情報部分に対応する通常の状況では、ＭＴＣデバイスは、そのデフォルト構成に従って、例えば１５分ごとに１回、ネットワークにアクセスすることを許可され得る。しかしながら、オーバーロードの状況が発生すると、このレートは、例えば予め定義された分だけ低減され得る。例えば、オーバーロードの状況の間は、ＭＴＣデバイスは代わりに、３０分ごとに１回、又は１時間ごとに１回、ネットワークにアクセスすることが許可され得る。この新たな（低減された）構成は、例えば図２に示されているような“ＳＩ選択信号２”の送信により、ＭＴＣデバイスへシグナリングされる又は示され得る。低減されたアクセスレート又は頻度を適用する場合、例えば、ＭＴＣデバイスの今後予定されている測定レポートのうちのいくつかを完全にスキップすること、又は、各々が複数個の測定レポートを含むより低い頻度の送信へと測定レポートをまとめることができるようにそれらを先延ばしにすること、を、ネットワークはＭＴＣデバイスに通知することができる。
【００３３】
個々の測定レポートをスキップするか、それとも先延ばしにするかは、例えば、ＲＲＣシグナリングにより構成可能であるか、又は、同期信号の選択を通じて示されることができる。後者の場合、追加の同期信号を定義することが必要になり得る。それは、例えばデータの優先順位等の様々な要因に基づいて又はＵＥの加入者情報に基づいて、前もって又はその場で決定されることができる。例えば、アクセス制限が適用される場合、何らかのタイプの情報、例えば種々のアラームは、遅滞なく許可されることが望ましいのに対し、他の情報、例えば電気メーターの読取り値は、完全にスキップされるか又は低減された周期でレポートされることができる。低減された周期のレポートは、前述のように、２回以上の測定機会からの複数の測定レポートを含む可能性がある。
【００３４】
システム情報は、ブロードキャスト又は専用送信を介して送信されることができる。ブロードキャストを介した送信は、システムが満杯であるときにオーバヘッドが低減される利点があるのに対し、専用シグナリングは、例えば、いくつかの重要なＭＴＣデバイスが高い負荷にもかかわらず送信を許可されねばならない場合のような、より柔軟な構成を可能にする利点がある。こうした重要なＭＴＣデバイスは、例えば、同じ選択肢型ＳＩの複数の選択肢で又は単一の選択肢のみで構成されることができ、単一の選択肢はこの場合、ＳＩ選択信号とは無関係に、常に使用されなければならない。それにより、こうしたＭＴＣデバイスは、例えば、様々なＳＩ選択信号のブロードキャストを使用する場合にも高いアクセスレートを有することができる。さらに、このオン／オフのグルーピング専用のシグナリングは、例えば、一部のＭＴＣデバイスは高い負荷の間は送信することを一切許可されず、一部のＭＴＣデバイスは高い負荷の間は低減された周期で送信することを許可され、また一部のＭＴＣデバイスは全く影響を受けない、といった、より精細な粒度のアプローチを可能にする。専用シグナリングに関連付けられる高いオーバヘッドを回避するために、“ベースライン”（ここでは“ベースライン”は、それが多くの又はほとんどのＭＴＣについて有効であることを意味する）のシステム情報構成は、ベースラインの選択肢セットを含めて、ブロードキャストされてよく、“逸脱した”（“極めて少数について有効”又は“ベースラインバージョンの例外”を意味する）ＭＴＣの振る舞いは、専用シグナリングを介して、該当するＭＴＣデバイスへとシグナリングされてよい。
【００３５】
本明細書に提示されている解決策の実施形態に従った、ＭＴＣデバイスへ向けられる新規のＳＩ及びＳＩ選択信号は、現行の（レガシー）ＳＩ及びＳＩＢのために使用されるのと同じ時間及び周波数リソースで送信されることができ、それらは、例えば異なる信号について異なるコードを使用することにより、区別されることができる。
【００３６】
本明細書に記載されている方法及びメッセージは、そのトラフィックが遅延を許容できるＭＴＣデバイスのために適用され得る。異なるＭＴＣデバイスによりサポートされるトラフィックタイプに関する情報は、従来技術に従ってネットワークへ提供されることができる。本明細書に記載されている方法及びシグナリング構造は、例えば、追加のＳＩ関連のメッセージを読むために及び２つ以上の同期シーケンスを使用するために必要とされ得る追加のエネルギー消費に対処することのできるデバイスによってサポートされ得る。
【００３７】
先に述べたように、本明細書では解決策は主に、ＭＴＣデバイスについて説明されるが、他のタイプのＵＥも、本解決策を使用し及びそれから恩恵を受けることができる。例えば、スマートフォンなどのＵＥが、ＵＥ信号が基地局に到達しないせいで初期アクセスに関して問題を抱える可能性のある、非常に大型のセルでは、ＵＥは、セルへアクセスするために拡張カバレッジ手順を使用することができる。セルへのアクセスが済み、例えばアップリンクにおいてより多くのデータを送信する必要がある場合には、ビーム形成を使用して、ＵＥと基地局との間の通常の通信を可能にすることができる。
【００３８】
一般化された形で、本明細書で提案されている解決策は、１つ又は複数の無線システムパラメータへ異なる値を各々が割り当てる複数の（選択肢）セットを含むシステム情報（ＳＩ）を、第１の無線通信ノードが第２の無線通信ノードへ送信すること、と記述されることができる。例えば、１つ又は複数の無線システムパラメータは、セル規制情報などの、アクセス関連のパラメータであり得るのに対し、他の状態及びパラメータは、異なるＳＩセットを適用したときに影響を受けることはない。こうした他の状態及びパラメータは、例えば、ＵＥのコンテキスト、ＣＲＮＴＩ、システム帯域幅などに関連し得る。本明細書で提案されている解決策の実施形態は、無線通信システムにおいてその時点で適用可能なセットを示す信号（これは“ＳＩ選択信号”と呼ばれ得る）を、無線通信ノード（第１の送信ノード、又は別のもの）が送信すること、をさらに含み得る。第２の無線通信ノードは、複数の選択肢セットを含むＳＩを受信し、その後、その時点で適用可能なセットを示す信号を受信し得る。受信した信号に基づいて、第２の無線通信ノードは、いずれのセットを適用するかを判定し得る。第１の無線通信ノードは、ｅＮＢなどの基地局であってよく、第２の無線通信ノードは、例えば建屋内の地下室に配置されるＭＴＣデバイスなどのＵＥであってよい。ＳＩ選択信号は、ＭＴＣデバイス専用であり得る同期信号であるか、又は、レガシーＵＥと拡張カバレッジモードで動作しているＵＥとの両方へ向けられる信号であってよい。
【００３９】
ＳＩは、例えばセットアップ時に１度、そしてその後おそらくは、何らかの大幅な変更に起因してＳＩ情報の全部又は複数の部分を置換する必要がある場合に、極めてまれにデバイスへ送信されるかもしくは他の方法で提供され、又は、極めてまれに少なくともＭＴＣデバイスによって受信されるものと想定される。
【００４０】
ＬＴＥネットワーク内のｅＮＢといったネットワークノードにおける例示的な手順を図３ａに示す。ネットワークノードは、上述のように、“拡張ＭＴＣカバレッジ”の実装などの拡張カバレッジモードをサポートするように動作可能である。ネットワークノードは、アクション３０１において、１つ以上のＵＥへＳＩを送信する。これらのＵＥも、拡張カバレッジモードをサポートする。ＳＩは、複数の選択肢がそれについて提供される少なくとも１つの部分を含む。すなわち、ＳＩは、各セットが１つ又は複数の無線システムパラメータへ異なる値を割り当てる複数の選択肢セットを含む。その後、ネットワークノードは、複数の選択肢セットのうちのいずれのセットがその時点でＵＥに適用されるべきかを判定する（３０３）。このアクションは、例えば、図３ｂに示されるように２つのアクション３０３：１及び３０３：２により実現されることができる。これについてはさらに後述する。
【００４１】
ネットワークノードはその後、ＳＩ選択信号をＵＥへ送信する。ＳＩ選択信号は、アクション３０３における判定に従って、判定されたセットを示す。これにより、ＵＥは、その時点で適切な無線システムパラメータ、すなわち判定されたシステム情報セット内のパラメータ、を適用することが可能とされる。
【００４２】
ＵＥは、電力計又はアラームセンサーといったＭＴＣデバイスであり得るが、代替的に、例えばスマートフォン、タブレット、コンピュータ、又は他のデバイスであってもよい。ＵＥは、好ましくない無線状態に遭遇し、例えば大量の繰り返しなど、拡張カバレッジモードに関連付けられた特徴を必要とする可能性がある。ＳＩは、先に述べたように、専用の方法でブロードキャスト又は送信されることができる。ＳＩの、選択肢セットがそれについて提供されている１つ又は複数の部分は、異なる事柄に関連し得る。これについてはさらに後述する。
【００４３】
複数の選択肢セットのうちのいずれのセットがその時点でＵＥに適用されるべきかの判定は、様々な方法で実行されることができる。例えば、ネットワークノードは、そのネットワークノードと関連付けられているセルにおけるその時点の負荷を判定することができる。セルの判定された負荷は、例えば高い負荷として定義される負荷と通常の負荷として定義される負荷との間の境界を表すしきい値と、比較されることができる。この比較に応じて、その時点の負荷が、例えば“高い”か“通常”かを判定することができ、複数の選択肢セットの中から、判定されたその時点の状態に対応するセットを判定又は識別して、関連付けられたＳＩ選択信号を介して該当するＵＥへと示すことができる。ＳＩ選択信号は、先に述べたように、様々な方法で実装又は実現されることができる。
【００４４】
例えば、ある時点で、負荷は“高い”とネットワークノードにより判定され得る。すると、ネットワークノードは、高い負荷の間に特定のタイプのＵＥにより使用されるべき選択肢ＳＩセット＿２を選択する。“特定のタイプのＵＥ”は、例えば、優先順位の低いＭＴＣデバイスのことであり得る。その後、選択肢ＳＩセット＿２に関連付けられ及びそれを示すＳＩ選択信号が、その特定のタイプであるＵＥへ送信される。その後のある時点で、セル内の負荷が変化したことで“通常”と判定され得る。その場合、通常の負荷では、複数の選択肢セットのうち、特定のタイプのＵＥに適用されるべき別のセット、例えば選択肢ＳＩセット＿１があり得る。そこで、選択肢ＳＩセット＿１に関連付けられ及びそれを示すＳＩ選択信号が、そのＵＥへ送信され得る。セル内の判定された負荷に基づく異なるＳＩ選択信号の送信は、図３ｂに、アクション３０４及び３０５として示されている。３つ以上の選択肢ＳＩ選択信号及び選択肢ＳＩセットが存在し得る。決定基準も、図３ｂに示された例と異なってもよい。
【００４５】
１つ又は複数の無線システムパラメータは、セルアクセスに関連し得る。すなわち、選択肢セット内に含まれているシステムパラメータは、例えば、ＵＥがセルにアクセスすることを許可されるか否か、又はＵＥがセルへのアクセスをどの程度まで許可されるか、を制御し得る。例えば、１つ又は複数の無線システムパラメータは、いわゆるセル規制に関連し得る。
【００４６】
ＳＩ選択信号は、同期信号であってもよい。同期信号は、同期のためにＵＥにより使用されるリファレンス信号又はシーケンスを意味する。それは、レガシーＵＥにより、及び／又は、ＭＴＣデバイスなどの拡張カバレッジモードを必要とするＵＥにより、同期のために使用される同期信号であることができる。代替的に、１つ以上の専用の信号をＳＩ選択信号として使用することもできる。
【００４７】
ＵＥにより実行される、システム情報を更新するための手順を、図４に示す。ＵＥは、例えば、いわゆる“拡張ＭＴＣカバレッジ”の実装など、拡張カバレッジモードをサポートし及び当該モードで動作可能な、ＭＴＣデバイス又はスマートフォンであり得る。システム情報（ＳＩ）がネットワークノードから受信される（４０１）。このＳＩは、複数の選択肢セットを含み、各セットは、１つ又は複数の無線システムパラメータへ異なる値を割り当てる。さらに、ＳＩ選択信号がネットワークノードから受信される（４０２）。このＳＩ選択信号は、複数の選択肢セットのうちの１つを示す。その後、ＵＥは、複数の選択肢セットのうち、ＳＩ選択信号に対応するセットを適用する（４０４、４０５）。これにより、無線状態が悪い場合でも、システム情報のすばやい更新が可能とされる。
【００４８】
ＳＩは、エアインタフェースを通じて基地局から受信され得る。代替的に、ＳＩ及びその関連付けられた選択肢部分は、他の何らかの方法で、例えばインストール中に例えばＵＳＢメモリなどの携帯型記憶デバイスを使用して、ＵＥに提供されてもよい。受信されたＳＩは、ＵＥ内に、例えばメモリ内に記憶され得る。
【００４９】
例えばＵＥが無線状態の悪い場所にある場合、ＳＩの受信に長い時間がかかり得る。例えば、拡張カバレッジモードが繰り返しに依存する場合、ＵＥがＳＩを正しく復号することができるためには、ＳＩは例えば１００回、受信される必要があり得る。ＳＩ選択信号も、同じ理由で、何回も受信される必要があり得るが、ＳＩ選択信号は、ＳＩ情報と比較して、何分の一かの量のデータしか含まないため、ＳＩ選択信号の受信にかかる時間は、比較して短い。
【００５０】
ＳＩ選択信号により示されるセットを適用することは、受信されたＳＩ選択信号によりいずれの選択肢ＳＩセットが示されているのかを判定することを含み得る。この判定は、ＵＥ内に記憶されているか又は少なくともＵＥがアクセス可能なマッピングテーブル又は他の解釈方式を使用することを含み得る。マッピングテーブルは、例えば受信されるＳＩの一部として、又は、他の何らかのそのために好適な方法で、ＵＥに提供されることができる。その後のある瞬間に、ＵＥは、受信されたＳＩの複数の選択肢ＳＩセットのうち別のセットが、受信された第１のＳＩ選択信号に基づいて判定／選択されたセットの代わりに使用されるべきであることを示す、第２のＳＩ選択信号を受信し得る。そこで、ＵＥは、第２のＳＩ選択信号に基づいて、いずれの選択肢ＳＩセットが適用されるべきかを判定し得る。この、ＳＩ選択信号に基づいて異なるＳＩセットを適用することは、図４に、アクション４０４及び４０５として示されている。なお、３つ以上の選択肢ＳＩ選択信号及びセットが存在し得る。
【００５１】
上述のように、１つ又は複数の無線システムパラメータは、セル規制など、セルアクセスに関連し得る。
【００５２】
ＳＩ選択信号（これは例えば同期信号であり得る）については上で述べたので、ここではより詳細には説明しない。
【００５３】
本明細書に記載されている実施形態は、無線通信システムにおいて動作可能なネットワークノードにも関連する。ネットワークノードは、上述の方法の少なくとも１つの実施形態を実行するよう適合される。ネットワークノードは、上述の方法と同じ技術的特徴、目的、及び利点と関連付けられる。不必要な繰り返しを避けるために、ネットワークノードについては簡単に説明する。
【００５４】
以下に、上述の手順をネットワークノードにおいて実行することを可能にするよう適合される、例示的なネットワークノード（５０１）について、図５を参照して説明する。ネットワークノードは、上述の拡張ＭＴＣカバレッジモードの実装といった、拡張カバレッジモードをサポートする。
【００５５】
ネットワークノードのうち、本明細書に記載されている方法への適合により最も影響を受ける部分が、破線で囲まれ、構成５０１として示されている。ネットワークノードは、ＬＴＥ通信システム内のｅＮＢといった基地局であり得る。ネットワークノード５００及び構成５０１は、さらに、構成５０１の一部とみなされ得る通信ユニット５０２を介して、他のエンティティと通信するように示されている。通信ユニットは、例えば受信器５０９及び送信器５０８、又は送受信器といった、通信のための手段を含む。通信ユニットは、代替的に“インタフェース”とも呼ばれ得る。構成又はネットワークノードは、例えば通常のｅＮＢ機能を提供する機能ユニットのような、他の機能ユニット５０７をさらに含み、また、１つ以上の記憶ユニット５０６もさらに含み得る。
【００５６】
構成５０１は、上述のアクション、例えば図３ａ〜３ｂのいずれかにおけるアクションを実行するように構成される、プロセッサもしくはマイクロプロセッサ及び十分なソフトウェア並びにそれを記憶するためのメモリ、プログラマブルロジックデバイス（ＰＬＤ）もしくは他の電子コンポーネント又は処理回路、のうちの１つ以上によって実現されることができる。
【００５７】
ネットワークノードの構成部分は、次のように実現及び／又は記述され得る：
ネットワークノードは、１つ又は複数の無線システムパラメータへ異なる値を各々が割り当てる複数の選択肢セットを含むシステム情報（ＳＩ）を、１つ以上のＵＥへと送信するように適合される送信ユニット５０３を含む。ネットワークノードは、複数の選択肢セットのうちのいずれのセットがその時点でＵＥに適用されるべきかを判定するように適合される制御ユニット５０４をさらに含む。制御ユニット、又は構成内の他の何らかのユニットは、判定されたセットを示すＳＩ選択信号をＵＥへ送信するようにさらに適合される。“送信”という用語は、ＳＩ選択信号の送信をトリガすることもカバーする。
【００５８】
上述のように、１つ又は複数の無線システムパラメータは、セルアクセス、例えばセル規制に関連し得る。さらに、ＳＩ選択信号は、先に述べたように、同期信号であり得る。
【００５９】
本明細書に記載されている実施形態は、無線通信システムにおいて動作可能なＵＥにも関連する。ＵＥは、上述の方法の少なくとも１つの実施形態を実行するよう適合される。ＵＥは、ＵＥにより実行される、上述の方法と同じ技術的特徴、目的、及び利点と関連付けられる。不必要な繰り返しを避けるために、ネットワークノードについては簡単に説明する。
【００６０】
以下に、上述の手順をＵＥによって実行することを可能にするよう適合される、例示的なＵＥ６０１について、図６を参照して説明する。ＵＥ６００は、無線通信システムにおいて動作可能である。ＵＥは、上述の拡張ＭＴＣカバレッジモードの実装といった、拡張カバレッジモードをサポートする。
【００６１】
ＵＥのうち、本明細書に記載されている方法への適合により最も影響を受ける部分が、破線で囲まれ、構成６０１として示されている。ネットワークノードは、ＬＴＥ通信システム内のＭＴＣデバイス又はスマートフォンといったＵＥであり得る。ＵＥ６００及び構成６０１は、さらに、構成６０１の一部とみなされ得る通信ユニット６０２を介して、他のエンティティと通信するように示されている。通信ユニットは、例えば受信器６０９及び送信器６０８、又は送受信器といった、通信のための手段を含む。通信ユニットは、代替的に“インタフェース”とも呼ばれ得る。構成又はＵＥは、例えば通常のＵＥの機能を提供する機能ユニットのような、他の機能ユニット６０７をさらに含み、また、１つ以上の記憶ユニット６０６もさらに含み得る。
【００６２】
構成６０１は、上述のアクション、例えば図４におけるアクションを実行するように構成される、プロセッサもしくはマイクロプロセッサ及び十分なソフトウェア並びにそれを記憶するためのメモリ、プログラマブルロジックデバイス（ＰＬＤ）もしくは他の電子コンポーネント又は処理回路、のうちの１つ以上によって実現されることができる。
【００６３】
ＵＥの構成部分は、次のように実現及び／又は記述され得る：
ＵＥは、１つ又は複数の無線システムパラメータへ異なる値を各々が割り当てる複数の選択肢セットを含むシステム情報（ＳＩ）をネットワークノードから受信するように適合され、及び、複数の選択肢セットのうちの１つを示すＳＩ選択信号をネットワークノードから受信するようにさらに適合される、受信器ユニット６０３を含む。ＵＥは、ＳＩ選択信号により示されるセットを適用するように適合される適用ユニット６０５をさらに含む。
【００６４】
上述のように、１つ又は複数の無線システムパラメータは、セルアクセス、例えばセル規制に関連し得る。さらに、ＳＩ選択信号は、先に述べたように、例えば同期信号であり得る。
【００６５】
ＵＥは、判定ユニット６０４（代替的に“選択ユニット”及び／又は“識別ユニット”と呼ぶこともできる）をさらに含み得る。判定ユニットは、いずれのＳＩ選択信号が受信されたかを判定し、及び、ＳＩの複数の選択肢セットのうちいずれのセットが適用されるべきかを受信したＳＩ選択信号に基づいて判定するように適合され得る。判定は、先に述べたように、マッピングテーブル又は他の決定方式など、ＵＥに記憶されている様々なものに基づくことができる。代替的に、適用ユニットが、このステップを実行するように適合されることもできる。
【００６６】
図７は、構成７００のあり得る一実施形態を概略的に示す。これは、図５又は図６のいずれかに示される構成５０１又は６０１の一実施形態を開示する代替的な方法でもあり得る。構成７００に含まれるのは、ここでは、例えばデジタル信号プロセッサ（ＤＳＰ）を含む処理ユニット７０６である。処理ユニット７０６は、本明細書に記載されている手順の様々なアクションを実行する単一のユニット又は複数のユニットであり得る。構成７００は、他のエンティティから信号を受信するための入力ユニット７０２、及び他のエンティティへ信号を提供するための出力ユニット７０４、も含み得る。入力ユニット７０２及び出力ユニット７０４は、統合された１つのエンティティとして配置され得る。
【００６７】
さらに、構成７００は、例えばＥＥＰＲＯＭ（Electrically  Erasable  Programmable  Read-Only  Memory）、フラッシュメモリ、及び／又はハードドライブなどの不揮発性又は揮発性メモリの形の、少なくとも１つのコンピュータプログラムプロダクト７０８を含み得る。コンピュータプログラムプロダクト７０８は、コンピュータプログラム７１０を含み得る。当該プログラムはコード手段を含み、それは、構成７００内の処理ユニット７０６において実行されると、構成及び／又は当該構成が含まれるノードに、例えば図３ａ、図３ｂ、又は図４に関連して前述した手順のアクションを実行させる。
【００６８】
コンピュータプログラム７１０は、コンピュータプログラムモジュール内に構築されるコンピュータプログラムコードとして構成され得る。このため、ネットワークノードでの使用のための例示的な一実施形態では、構成７００のコンピュータプログラム７１０内のコード手段は、システム情報を送信するための送信器モジュール７１０ａを含む。コンピュータプログラム７１０は、セルの負荷を判定するための判定モジュール７１０ｂをさらに含み得る。コンピュータプログラム７１０は、ＳＩに関連する複数のセットのうちいずれのセットが適用されるかを例えばセルの負荷に基づいて選択又は判定し、それにより、いずれのＳＩ選択信号をＵＥへ送信するかを判定するための選択モジュール７１０ｃをさらに含む。コンピュータプログラムは、ネットワークノードにおける手順に関連して上述した実施形態の様々なアクションのうちのいくつか又は全てを提供するように適合される追加のコンピュータプログラムモジュール７１０ｄをさらに含み得る。
【００６９】
ＵＥにおける対応する構成は、必要な変更が施されて、同様の方法で説明されることができる。変更は、本明細書の他の部分から導出され得る。
【００７０】
モジュール７１０ａ〜７１０ｃは、図３ａ又は図３ｂに示されるフローのアクションを実質的に実行することで、図５に示される構成５０１をエミュレートすることができる。
【００７１】
図７に関連して上に開示された実施形態におけるコード手段は、処理ユニットにおいて実行されたときに上記の図に関連して上述したアクションをデコーダに実行させるコンピュータプログラムモジュールとして実現されるが、それらコード手段の少なくとも１つは、代替的な実施形態においては、少なくとも部分的にハードウェア回路として実現され得る。
【００７２】
プロセッサは、単一の中央処理ユニット（ＣＰＵ）であり得るが、２つ以上の処理ユニットを含むこともできる。例えば、プロセッサは、汎用マイクロプロセッサ、命令セットプロセッサ及び／又は関連のチップセット及び／又はＡＳＩＣ（Application  Specific  Integrated  Circuit）などの特定用途向けマイクロプロセッサ、を含み得る。プロセッサは、キャッシングのためのボードメモリも含み得る。コンピュータプログラムは、プロセッサへ接続されるコンピュータプログラムプロダクトによって担持され得る。コンピュータプログラムプロダクトは、コンピュータプログラムが記憶されるコンピュータ可読媒体を含み得る。例えば、コンピュータプログラムプロダクトは、フラッシュメモリ、ＲＡＭ（Random-access  memory）、ＲＯＭ（Read-Only  Memory）、又はＥＥＰＲＯＭであり得る。上述のコンピュータプログラムモジュールは、代替的な実施形態においては、ネットワークノード内の又はＵＥ内のメモリの形の、様々なコンピュータプログラムプロダクト上に、分配されることができる。
【００７３】
本明細書で提案されている技術の様々な実施形態についての以上の説明は、ＬＴＥシステムにおける使用に限定されることなく、既存の３ＧＰＰ標準及びその改訂版のコンテキストにおいて読まれ及び理解されてよく、また、記載されている技術を実行するための既知の物理構造及びデバイスの適合を反映するものと理解されてよい。
【００７４】
本明細書で提案されている技術のいくつかの実施形態の例を、上に詳細に説明した。本明細書で提案されている技術が、提案されている技術の本質的な特性から逸脱することなく、本明細書に具体的に説明されている方法以外の方法で実現されることができることは、当業者には理解されるであろう。
【００７５】
発明者らにより提案される解決策は、本明細書では、主としてＥＰＳ／ＬＴＥの観点から説明されている。しかしながら、解決策の全般的な概念は、少なくともＵＭＴＳ／ＷＣＤＭＡ／ＨＳＰＡに、及び、好ましくない無線状態において例えばＭＴＣデバイスをサポートする拡張カバレッジモードを有する他のシステムにも適用可能であることに留意されたい。
【００７６】
相互作用するユニット又はモジュールの選択も、ユニットの呼称も、例示のためだけのものであり、上述の方法のいずれかを実行するのに好適なノードは、提案されているプロセスアクションを実行することができるように、複数の代替的な方法で構成され得ることを理解されたい。
【００７７】
また、本開示において説明されているユニット又はモジュールは、論理エンティティとみなされるものであって、必ずしも別々の物理エンティティとみなされるものではないことにも留意されたい。
【００７８】
略語
３ＧＰＰ        3rd  Generation  Partnership  Project
ＢＳ            Base  Station,  e.g.  eNB
Ｃ−ＲＮＴＩ    Cell  Radio  Network  Temporary  Identifier
ｅＮＢ，
ｅＮｏｄｅＢ    evolved  (E-UTRAN)  NodeB
ＥＰＳ          Evolved  Packet  System
Ｅ−ＵＴＲＡＮ  Evolved  UTRAN
ＨＳＰＡ        High  Speed  Packet  Access
ＬＴＥ          Long  Term  Evolution
ＭＴＣ          Machine  Type  Communication
ＲＲＣ          Radio  Resource  Control
ＵＥ            User  Equipment
ＵＭＴＳ        Universal  Mobile  Telecommunications  System
ＵＴＲＡＮ      Universal  Terrestrial  Radio  Access  Network
【図１】
2016522605.tif 000003
【図２】
2016522605.tif 000004
【図３ａ】
2016522605.tif 000005
【図３ｂ】
2016522605.tif 000006
【図４】
2016522605.tif 000007
【図５】
2016522605.tif 000008
【図６】
2016522605.tif 000009
【図７】
2016522605.tif 000010
【国際調査報告】
2016522605.tif 000011
2016522605.tif 000012
2016522605.tif 000013